(57)【要約】【課題】発光時に被表示物となる意匠を立体的に表示しながらも非発光時であっても見映えがよく且つ簡単な構成で容易に製造することができる表示装置を提供する。【解決手段】有機ＥＬ素子９を点灯すると、有機層７で発した光Ｌ１が意匠フィルム２と透明部材３を透過した後にハーフミラー層４に入射して出射される光Ｌ２により形成される意匠フィルム２の意匠２ｂの映像と、さらにハーフミラー層４で反射して有機ＥＬ素子９の反射電極層８で反射した後に出射される光Ｌ５により形成される意匠フィルム２の意匠２ｂの映像とが欠けることなく互いに横方向にずれるため、意匠フィルム２に描かれている意匠２ｂが浮き上がって立体的に見える。有機ＥＬ素子９を消灯すると、面発光装置１からの発光が停止され、ハーフミラー層４により単なる鏡として機能する。【選択図】図２
2008233113.tif 000002
【特許請求の範囲】
【請求項１】
後面側に反射層を有し且つ前面側へ光を出射することにより表示しようとする意匠の映像を形成する映像形成装置と
前記映像形成装置の前面側に配置された透明部材と、
前記透明部材の前面側に配置されたハーフミラー層と
を備えたことを特徴とする表示装置。
【請求項２】
前記映像形成装置は、面発光装置と意匠構成層とを備え、
前記面発光装置は後面側に反射層を有し且つ前面から光を出射する鏡面型の発光装置であり、
前記意匠構成層は前記面発光装置の前面側に配置され且つ表示しようとする意匠が形成された層である
請求項１に記載の表示装置。
【請求項３】
前記面発光装置は、前記反射層を形成する反射電極層と、透明電極層と、これら反射電極層及び透明電極層の間に介在する発光層とを含むエレクトロルミネッセンス装置からなる請求項２に記載の表示装置。
【請求項４】
前記意匠構成層は、表示しようとする意匠の形状に対応してパターニングされ且つ遮光性を有する反射膜からなる請求項２または３に記載の表示装置。
【請求項５】
前記意匠構成層は、前記面発光装置の前面上または前記透明部材の後面上に配置された鏡面状のマスキングシートからなる請求項４に記載の表示装置。
【請求項６】
前記意匠構成層は、表示しようとする意匠の形状に対応してパターニングされた透光性膜からなる請求項２または３に記載の表示装置。
【請求項７】
前記意匠構成層は、前記面発光装置の前面上または前記透明部材の後面上に、蒸着またはメッキまたはメッキ調ホットスタンピングまたは印刷のうち少なくとも一つの方法により形成された薄膜からなる請求項４〜６のいずれか一項に記載の表示装置。
【請求項８】
前記映像形成装置は、ディスプレイを備え、
前記ディスプレイは後面側に反射層を有し且つ表示しようとする意匠に対応したパターンの発光を行う鏡面型のディスプレイである
請求項１に記載の表示装置。
【請求項９】
前記ディスプレイは、前記反射層を形成する反射電極層と、透明電極層と、これら反射電極層及び透明電極層の間に介在する発光層とを含むエレクトロルミネッセンス装置からなる請求項８に記載の表示装置。
【請求項１０】
前記エレクトロルミネッセンス装置の前記透明電極層及び前記発光層の少なくとも一方が表示しようとする意匠の形状に対応してパターニングされている請求項９に記載の表示装置。
【請求項１１】
前記エレクトロルミネッセンス装置は、前記反射電極層及び前記透明電極層の間に介在し且つ表示しようとする意匠の形状に対応してパターニングされた絶縁層を有する請求項９に記載の表示装置。
【請求項１２】
前記エレクトロルミネッセンス装置は、表示しようとする意匠をセグメント表示する請求項９に記載の表示装置。
【請求項１３】
前記エレクトロルミネッセンス装置は、表示しようとする意匠をドットマトリクス表示する請求項９に記載の表示装置。
【請求項１４】
前記エレクトロルミネッセンス装置は、複数の色を発光する請求項９〜１３に記載の表示装置。
【請求項１５】
車両の室内に設置される請求項１〜１４のいずれか一項に記載の表示装置。
【請求項１６】
車両のスカッフプレートに設置される請求項１５に記載の表示装置。
【請求項１７】
車両のインサイドドアハンドルに設置される請求項１５に記載の表示装置。
【発明の詳細な説明】
【技術分野】
【０００１】
この発明は、表示装置に係り、特に文字、図形等の被表示物を立体的に表示する、あるいは奥行感のある表示をする表示装置に関する。
【背景技術】
【０００２】
特許文献１には、白色の面光源を用いて文字や図形等からなるマークを立体的に表示しようとする表示装置が開示されている。透明な平板部材の前面上に透明な有色透光層によってマークを描き、後面上にそのマークの形状を打ち抜いたマスクを設け、マスクの後方から面光源としてエレクトロルミネッセンス装置（以下、「ＥＬ装置」という。）により白色光を照射する。マスクの打ち抜き部分を通った光による映像と有色透光層を透過した光による映像とがずれることによりマークが立体的に浮かび上がって見える。
【０００３】
【特許文献１】実開平４−１１４０８３号公報
【発明の開示】
【発明が解決しようとする課題】
【０００４】
しかしながら、特許文献１の表示装置では、透明な平板部材の前面上に有色透光層によりマークが描かれるため、ＥＬ装置の発光／非発光に関わらずに常にマークが見えており、特に非発光時の見映えがよくないという問題があった。
また、マークを描く有色透光層とマークの形状を打ち抜いたマスクとが平板部材の両面に配置されるという複雑な構成を有すると共にこれら有色透光層とマスクの位置を互いに整合させる必要があり、製造に手間がかかるという問題もあった。
【０００５】
この発明は、このような従来の問題点を解消するためになされたもので、発光時に被表示物となる意匠を立体的に表示しながらも非発光時であっても見映えがよく且つ簡単な構成で容易に製造することができる表示装置を提供することを目的とする。
【課題を解決するための手段】
【０００６】
この発明に係る表示装置は、後面側に反射層を有し且つ前面側へ光を出射することにより表示しようとする意匠の映像を形成する映像形成装置を備え、この映像形成装置の前面側に透明部材を配置すると共に透明部材の前面側にさらにハーフミラー層を配置したものである。
なお、本明細書において、「意匠の映像」には、文字、図形、記号、画像、模様、およびこれらのうちの２以上の組み合わせを含む。
【０００７】
映像形成装置として、後面側に反射層を有し且つ前面から光を出射する鏡面型の面発光装置と、この面発光装置の前面側に配置され且つ表示しようとする意匠が形成された意匠構成層とを用いることができる。ここで、面発光装置は、反射層を形成する反射電極層と、透明電極層と、これら反射電極層及び透明電極層の間に介在する発光層とを含むＥＬ装置から構成することができる。なお、本明細書において、面発光装置は平面形状でもよいし、曲面形状であってもよい。また、平面形状と曲面形状を組み合わせ意匠の形状に合わせた形状であってもよい。
また、意匠構成層を、表示しようとする意匠の形状に対応してパターニングされると共に遮光性を有する反射膜または透光性膜から形成することができる。具体的には、面発光装置の前面上または透明部材の後面上に鏡面状のマスキングシートを配置する、あるいは蒸着またはメッキまたはメッキ調ホットスタンピングまたは印刷のうち少なくとも一つの方法により薄膜を形成することにより、意匠構成層が得られる。ここで、意匠構成層が遮光性反射膜で形成されている場合は、単色の意匠を鮮明に表現できる。特に、文字を鮮明に表現したい場合に効果を発揮する。また、意匠構成層が透光性膜（多色印刷でもよく、多色フィルム、あるいは色の異なる単色フィルムの結合体などであってもよい）で形成されている場合は、多色の意匠を表現できる。
【０００８】
また、映像形成装置として、後面側に反射層を有し且つ表示しようとする意匠に対応したパターンの発光を行う鏡面型のディスプレイを用いることもできる。ここで、ディスプレイは、反射層を形成する反射電極層と、透明電極層と、これら反射電極層及び透明電極層の間に介在する発光層とを含むＥＬ装置から構成することができる。
この場合、ＥＬ装置としては、
（１）透明電極層及び発光層の少なくとも一方が表示しようとする意匠の形状に対応してパターニングされている、
（２）反射電極層及び透明電極層の間に介在し且つ表示しようとする意匠の形状に対応してパターニングされた絶縁層を有する、
（３）表示しようとする意匠をセグメント表示する、
（４）表示しようとする意匠をドットマトリクス表示する
のいずれかの方式のものを用いることが好ましい。
なお、ＥＬ装置の発光色は単色であっても複数色であってもよい。複数の色を発光する場合、発光色が固定されていてもよいし、発光色が変化するように構成してもよい。
【０００９】
この発明に係る表示装置は、車両の室内に設置されることが好ましい。特に、車両のスカッフプレートあるいはインサイドドアハンドルに設置することができる。
【発明の効果】
【００１０】
この発明によれば、表示しようとする意匠が欠けることなく多重に表示できるため、発光時には意匠を立体的に表示することができ、且つ非発光時でも見映えがよい表示装置を簡単な構成で実現することができる。さらに、この表示装置は、容易に製造することが可能である。
【発明を実施するための最良の形態】
【００１１】
以下、この発明の実施の形態を添付図面に基づいて説明する。
実施の形態１
図１は実施の形態１に係る透明なオーディオカバーＣに設けられた表示装置の発光時の状態を示す斜視図である。図２は、図１のＡ−Ａ線断面図を示す。有機エレクトロルミネッセンス装置（以下、「有機ＥＬ装置」という。）からなる鏡面型の面発光装置１の出射面である前面１ａに対向して意匠構成層となる意匠フィルム２が配置されている。さらに、意匠フィルム２の前面２ａ側に平板状の透明部材３が配置され、透明部材３の前面３ａ上にハーフミラー層４が形成されている。
【００１２】
面発光装置１は、透明基板５の表面上に透明電極層６、発光層を含む有機層７、反射電極層８を積層して形成された有機エレクトロルミネッセンス素子９（以下、「有機ＥＬ素子９」という。）を有し、有機ＥＬ素子９の全体を覆うように保護層１０が形成されている。透明基板５の裏面がこの面発光装置１の前面１ａとして意匠フィルム２に対向している。
ここで、透明基板５は、可視光に対して透過性を有する材料から形成されればよく、ガラス、樹脂等を用いることができる。透明電極層６は、電極としての機能を有し且つ少なくとも可視光に対して透過性を有していればよく、例えばＩＴＯがその材料として採用される。
【００１３】
有機層７は、発光層のみの単層、または正孔注入層、正孔輸送層、正孔注入輸送層、正孔阻止層、電子注入層、電子輸送層、電子阻止層の一層以上と発光層が積層された多層のいずれであってもよい。発光層の材料としては、少なくともＡｌｑ３やＤＣＭなどの公知の有機発光材料が含有される。また、正孔注入層、正孔輸送層、正孔注入輸送層、正孔阻止層、電子注入層、電子輸送層、電子阻止層などは、公知の材料から適宜形成される。
反射電極層８は、電極としての機能を有し且つ少なくとも可視光に対して反射性を有すればよく、例えばＡｌ、Ｃｒ、Ｍｏ、Ａｌ合金、Ａｌ／Ｍｏ積層体等を採用することができる。
保護層１０は、例えばプラズマＣＶＤ法により形成される窒化珪素、酸窒化珪素及び酸化珪素等が用いられる。
【００１４】
意匠フィルム２は、例えば透明な樹脂フィルムの表面上にこの表示装置によって表示しようとする文字や図形等からなる所定の意匠２ｂを印刷したものである。なお、意匠２ｂは遮光性である。
透明部材３としては、例えば透明なアクリル板が用いられ、この透明部材３の前面３ａ上にＡｌ、Ｃｒ、Ｍｏ等を蒸着やスパッタリングすることによりハーフミラー層４が形成される。透明部材３としてガラス板を用いることもできる。
【００１５】
次に、この実施の形態１に係る表示装置の動作について説明する。この表示装置は、意匠フィルム２に描かれた意匠２ｂをハーフミラー層４を通して表示するものであり、例えばハーフミラー層４を室内に向けた状態で自動車等の車両の室内に設置される。
面発光装置１の透明電極層６と反射電極層８との間に電流を流して有機ＥＬ素子９を点灯すると、有機層７で発した光Ｌ１が直接透明電極層６へ入射し、あるいは反射電極層８で反射した後に透明電極層６へ入射し、さらに透明基板５を透過して面発光装置１の前面１ａから出射される。この光Ｌ１は、意匠フィルム２を透過した後、透明部材３に入射し、透明部材３を透過して透明部材３の前面３ａに形成されているハーフミラー層４に入射する。
【００１６】
ここで、光Ｌ１は、ハーフミラー層４を透過して出射される光Ｌ２と、ハーフミラー層４で反射して再び透明部材３を透過する光Ｌ３とに分岐される。ハーフミラー層４を透過した光Ｌ２は、例えば車両の搭乗者の目に到達し、これにより意匠フィルム２に描かれている意匠２ｂの映像が搭乗者に捉えられる。一方、ハーフミラー層４で反射した光Ｌ３は、再び透明部材３を透過した後、意匠フィルム２と面発光装置１の透明電極層６及び有機層７を順次透過し、反射電極層８で反射する。このようにして反射電極層８で反射した光Ｌ４は、有機層７、透明電極層６、透明基板５を順次透過して面発光装置１の前面１ａから出射され、さらに意匠フィルム２及び透明部材３を透過して再びハーフミラー層４に入射する。
【００１７】
光Ｌ４の一部はハーフミラー層４で反射して透明部材３へと戻るが、残部はハーフミラー層４を透過し、光Ｌ５として出射される。この光Ｌ５は、上述した光Ｌ２からは位置がずれているが、光Ｌ２と同様に車両の搭乗者の目に到達することにより意匠フィルム２に描かれている意匠２ｂの映像が搭乗者に捉えられる。
このとき、光Ｌ５により形成された映像は光Ｌ２により形成された映像に対して横方向、すなわちハーフミラー層４の面方向にずれているため、車両の搭乗者はあたかも意匠フィルム２に描かれている意匠２ｂが浮き上がって見えることとなる。特に、車両の搭乗者がハーフミラー層４を見る角度が浅いほど、すなわちハーフミラー層４の表面に対する法線方向から傾くほど、この２つの映像のずれ量が大きくなるので、意匠フィルム２に描かれている意匠２ｂは立体的に見える。また、車両の搭乗者がハーフミラー層４を見る角度が同じでも、透明部材３が厚いほど、２つの映像のずれ量が大きくなり、意匠２ｂがより浮き上がって見える。
【００１８】
このように面発光装置１の有機ＥＬ素子９を点灯することにより意匠フィルム２に描かれている意匠２ｂが立体的に表示されるが、有機ＥＬ素子９を消灯すると、面発光装置１からの発光が停止されるため、意匠フィルム２を照明する光がなくなる。このため、車両の室内側の光Ｌ６がハーフミラー層４の表面に入射して、その一部の光がハーフミラー層４を透過しても、ハーフミラー層４の表面で反射する光の強度の方が強く、車内の搭乗者は意匠フィルム２に描かれている意匠２ｂを見ることができない。すなわち、有機ＥＬ素子９の消灯時には、ハーフミラー層４により表示装置は単なる鏡として機能することとなる。
【００１９】
以上のように、実施の形態１に係る表示装置は、面発光装置１の非発光時には鏡として機能するため見映えがよく、発光時にのみ意匠フィルム２に描かれている意匠２ｂが浮かび上がるので、見る人に驚愕を与える表示が可能となる。
また、有機ＥＬ装置からなる面発光装置１とハーフミラー層４が形成された透明部材３との間に意匠フィルム２を配置しただけの簡単な構造を有するため、部品点数が少なく且つ製造も容易であり、安価なコストで製造することができる。
【００２０】
なお、意匠構成層は、表示装置によって表示しようとする遮光性の意匠を透明フィルム等の透光性基材に形成した構成であるとは限らない。
例えば、面発光装置１の有機ＥＬ装置として白色光タイプのＥＬ装置を使用すると共に、透光性のあるカラーインクで意匠が描かれた意匠フィルム２を使用すれば、意匠をそのままカラーで表示することができる。ただし、単色光タイプ等の特定の発光色を有するＥＬ装置を用いることもできる。
【００２１】
実施の形態２
図３に実施の形態２に係る表示装置の断面構造を示す。この表示装置は、図２に示した実施の形態１の表示装置において、意匠フィルム２の代わりに、いわゆるパンチングメタル１１を意匠構成層として用いたものである。パンチングメタル１１は、遮光性を有する金属平板に開口１１ａを形成することにより意匠を表したもので、金属平板の表面の反射率は、有機ＥＬ素子９の反射電極層８の反射率に比べて大幅に低いものとする。
【００２２】
有機ＥＬ素子９の有機層７で発した光Ｌ１が透明基板５を透過してパンチングメタル１１の開口１１ａを通り、透明部材３を透過してハーフミラー層４に入射する。この光Ｌ１の一部はハーフミラー層４を透過して光Ｌ２として出射され、例えば車両の搭乗者の目に到達し、これによりパンチングメタル１１の開口１１ａで描かれた意匠の映像が搭乗者に捉えられる。一方、ハーフミラー層４で反射した光Ｌ３は、再び透明部材３を透過した後、パンチングメタル１１の開口１１ａを通って、透明基板５、透明電極層６及び有機層７を順次透過し、反射電極層８で反射する。このようにして反射電極層８で反射した光Ｌ４は、有機層７、透明電極層６、透明基板５を順次透過してパンチングメタル１１の開口１１ａを通り、さらに透明部材３を透過して再びハーフミラー層４に入射する。
【００２３】
光Ｌ４の一部はハーフミラー層４を透過して光Ｌ５として出射され、光Ｌ２と同様に車両の搭乗者の目に到達することによりパンチングメタル１１の開口１１ａで描かれた意匠の映像が搭乗者に捉えられる。一方、ハーフミラー層４で反射した光Ｌ７は、再び透明部材３を透過するが、パンチングメタル１１の開口１１ａではない金属平板の部分に入射すると、金属平板の表面の反射率が低いため、ここでさらに反射してハーフミラー層４から車両の搭乗者に向けて出射される光はほとんどない。
【００２４】
このようにして、パンチングメタル１１の開口１１ａによって形成された意匠の影が、開口１１ａが形成された意匠の内部の範囲において横にずれて映し出されるため、車両の搭乗者はあたかもパンチングメタル１１の開口１１ａによって形成された意匠が立体的に奥まって見える（言い換えると、パンチングメタル１１の開口１１ａによって形成された意匠の形状をそのまま均等の深さで奥に掘り下げた状態が斜め上方から見える）こととなる。
【００２５】
実施の形態３
図４に実施の形態３に係る表示装置の断面構造を示す。この表示装置は、図２に示した実施の形態１の表示装置において、意匠フィルム２の代わりに、表示しようとする意匠の形状に対応してパターニングされた、遮光性を有する反射膜１２を用いたものである。この反射膜１２は、面発光装置１の前面１ａ上、すなわち透明基板５の裏面上に例えばＡｌ、Ｃｒ、Ｍｏ等の金属材料を蒸着することにより形成することができる。
【００２６】
有機ＥＬ素子９の有機層７で発した光Ｌａ１が透明基板５を透過して反射膜１２のパターニングされた開口１２ａの一端を通り、透明部材３を透過してハーフミラー層４に入射する。この光Ｌａ１の一部はハーフミラー層４を透過して光Ｌａ２として出射され、ハーフミラー層４で反射した光Ｌａ３は、再び透明部材３を透過した後、反射膜１２の開口１２ａを通って、透明基板５、透明電極層６及び有機層７を順次透過し、反射電極層８で反射する。このようにして反射電極層８で反射した光Ｌａ３は、有機層７、透明電極層６、透明基板５を順次透過して反射膜１２の開口１２ａを通り、さらに透明部材３を透過して再びハーフミラー層４に入射する。この光Ｌａ３の一部はハーフミラー層４を透過して光Ｌａ４として出射され、ハーフミラー層４で反射した光Ｌａ５は、再び透明部材３を透過するが、開口１２ａが存在しない部分の反射膜１２に入射すると、この反射膜１２の表面で反射され、透明部材３を透過してハーフミラー層４に入射する。この光Ｌａ５の一部はハーフミラー層４を透過して光Ｌａ６として出射され、ハーフミラー層４で反射した光は、再び透明部材３を透過した後、反射膜１２の表面で反射される。
【００２７】
同様にして、有機層７で発した光のうち、反射膜１２の開口１２ａの他端を通って透明部材３に入射した光Ｌｂ１がハーフミラー層４に入射し、光Ｌｂ１の一部がハーフミラー層４を透過して光Ｌｂ２として出射され、ハーフミラー層４で反射した光Ｌｂ３は、透明部材３を透過した後、反射膜１２の表面で反射されて再びハーフミラー層４に入射し、光Ｌｂ３の一部がハーフミラー層４を透過して光Ｌｂ４として出射される。さらに、ハーフミラー層４で反射した光Ｌｂ５が、反射膜１２の表面で反射されて再びハーフミラー層４に入射し、光Ｌｂ５の一部がハーフミラー層４を透過して光Ｌｂ６として出射される。
【００２８】
このようにして、ハーフミラー層４から出射された光が車両の搭乗者の目に到達し、これによりパターニングされた反射膜１２で描かれた意匠の映像が搭乗者に捉えられる。このとき、反射膜１２の開口１２ａの一端を通った光Ｌａ１も他端を通った光Ｌｂ１もハーフミラー層４と反射膜１２（または反射電極層８）の表面との間で反射を繰り返し、その都度一部の光がハーフミラー層４を透過してハーフミラー層４の面方向にずれた位置から出射されるので、車両の搭乗者には意匠が欠けることなく多重に浮き上がって立体的に見えることとなる。また、車両の搭乗者は、面発光装置の表示面に対する正面の位置（図４では反射膜１２の開口１２ａに対する鉛直上の位置）から離間した位置に移動すればするほど、表示しようとする意匠同士の間隔が開いていくように且つ欠けない状態で多重に浮き上がって見えることとなる。
【００２９】
なお、反射膜１２は、遮光性を有しているので、有機層７で発した光が開口１２ａ以外の部分の反射膜１２を透過して透明部材３に入射することが抑制され、これにより意匠を鮮明に見ることができる。
また、反射膜１２が有機ＥＬ素子９の反射電極層８の反射率と同等以上の反射率を有していれば、多重に見える意匠がより鮮明なものとなる。
【００３０】
上記の実施の形態３では、面発光装置１の前面１ａ上に金属材料を蒸着して反射膜１２を形成したが、面発光装置１に対向する透明部材３の後面上に蒸着により反射膜１２を形成してもよい。
また、蒸着膜の代わりにメッキ膜を面発光装置１の前面１ａ上あるいは透明部材３の後面上に形成して、これを反射膜１２とすることもできる。
さらに、遮光性及び反射性を備えた鏡面状の汎用のマスキングシートをパターニングして面発光装置１の前面１ａ上あるいは透明部材３の後面上に貼付し、これを反射膜１２とすることもできる。
【００３１】
実施の形態４
図５に実施の形態４に係る表示装置の断面構造を示す。この表示装置は、図２に示した実施の形態１の表示装置において、面発光装置１の代わりに有機ＥＬ装置からなる鏡面型のディスプレイ２１を用いると共に意匠フィルム２を省略し、ハーフミラー層４が形成された透明部材３をディスプレイ２１の前面２１ａ側に配置したものである。
【００３２】
ディスプレイ２１は、実施の形態１で用いられた面発光装置１とほぼ同様に、透明基板５の表面上に透明電極層６、発光層を含む有機層７、反射電極層８を積層して形成された有機ＥＬ素子２９を有し、有機ＥＬ素子２９の全体を覆うように保護層１０が形成されている。ただし、透明電極層６が有機ＥＬ素子２９の全面に形成されているのではなく、この表示装置によって表示しようとする意匠に対応したパターニングが透明電極層６に施されている。なお、有機層７と反射電極層８は有機ＥＬ素子２９の全面にわたって形成されている。
【００３３】
このような構造の有機ＥＬ素子２９を用いるため、透明電極層６と反射電極層８との間に電流を流して有機ＥＬ素子２９を点灯すると、透明電極層６が存在する領域のみが有機層７での発光を促すこととなり、透明電極層６のパターン形状に対応したパターンの発光がなされる。
【００３４】
この実施の形態４においても、実施の形態１と同様に、透明電極層６が存在する領域の有機層７で発した光Ｌ１が直接透明電極層６へ入射し、あるいは反射電極層８で反射した後に透明電極層６へ入射し、さらに透明基板５を透過してディスプレイ２１の前面２１ａから出射された後、透明部材３に入射し、透明部材３を透過してハーフミラー層４に入射する。
【００３５】
光Ｌ１は、ハーフミラー層４を透過して出射される光Ｌ２と、ハーフミラー層４で反射して再び透明部材３を透過する光Ｌ３とに分岐され、ハーフミラー層４を透過した光Ｌ２は、例えば車両の搭乗者の目に到達し、これにより透明電極層６のパターン形状として描かれた意匠の映像が搭乗者に捉えられる。一方、ハーフミラー層４で反射した光Ｌ３は、再び透明部材３を透過した後、ディスプレイ２１の透明電極層６及び有機層７を順次透過し、反射電極層８で反射する。このようにして反射電極層８で反射した光Ｌ４は、有機層７、透明電極層６、透明基板５を順次透過してディスプレイ２１の前面２１ａから出射され、さらに透明部材３を透過して再びハーフミラー層４に入射する。
【００３６】
光Ｌ４の一部はハーフミラー層４を透過して光Ｌ５として出射され、光Ｌ２と同様に車両の搭乗者の目に到達することにより透明電極層６のパターン形状として描かれた意匠の映像が搭乗者に捉えられる。
このとき、光Ｌ５により形成された映像は光Ｌ２により形成された映像に対して横方向、すなわちハーフミラー層４の面方向にずれているため、意匠が浮き上がって立体的に見えることとなる。
なお、透明部材３が厚いほど、２つの映像のずれ量が大きくなり、意匠がより浮き上がって見える。
【００３７】
また、有機ＥＬ素子２９を消灯すると、ディスプレイ２１からの発光が停止されるため、ハーフミラー層４により表示装置は単なる鏡として機能し、透明電極層６のパターン形状として描かれた意匠を見ることはできなくなる。
【００３８】
以上のように、この実施の形態４においても、実施の形態１〜３と同様に、ディスプレイ１１の非発光時には鏡として機能するため見映えがよく、発光時にのみ透明電極層６のパターン形状として描かれた意匠が浮かび上がって立体的に見える。
また、実施の形態１の表示装置で用いられた意匠フィルム２が省略されているので、さらに部品点数が少なく、製造も容易であり、安価なコストで表示装置を製造することができる。
【００３９】
実施の形態５
図６に実施の形態５に係る表示装置の断面構造を示す。この表示装置は、図５に示した実施の形態４の表示装置において、透明電極層６がパターニングされた有機ＥＬ素子２９を有するディスプレイ２１の代わりに、発光色が同一の有機層７、７１、７２がパターニングされた有機ＥＬ素子３９を有する鏡面型のディスプレイ３１を用いたものである。ハーフミラー層４が形成された透明部材３がディスプレイ３１の前面３１ａ側に配置されている。
【００４０】
有機ＥＬ素子３９は、透明基板５の表面上に透明電極層６、発光層を含む有機層７、７１、７２、反射電極層８を積層して形成されたもので、有機層７、７１、７２、特にこれらの有機層が発光層を含む多層構造を有する場合には少なくとも発光層が、この表示装置によって表示しようとする意匠に対応してパターニングされている。ここで、発光層のみの単層構造の有機層７、７１、７２をパターニングする場合、あるいは発光層を含む多層構造の有機層７、７１、７２の厚さ方向全てをパターニングする場合には、透明電極層６と反射電極層８の短絡を防止するために有機層７、７１、７２の除去部分に透明な絶縁層３２を形成する必要がある。なお、透明電極層６と反射電極層８は有機ＥＬ素子３９の全面にわたって形成されている。
【００４１】
このような構造の有機ＥＬ素子３９を用いるため、透明電極層６と反射電極層８との間に電流を流して有機ＥＬ素子３９を点灯すると、発光層が存在する領域のみが発光することとなる。従って、この実施の形態５においても、実施の形態４と同様に、有機ＥＬ素子３９の点灯時には発光層のパターン形状として描かれた意匠が浮かび上がって立体的に見え、有機ＥＬ素子３９の消灯時にはハーフミラー層４により表示装置が単なる鏡として機能する。
なお、実施の形態５における有機層７、７１、７２の発光色は同一であるが、これに限定されない。例えば、有機層７、７１、７２がそれぞれ２色のうちいずれか１色を発光するような構成としてもよい。また、有機層７の発光色が赤色、有機層７１の発光色が緑色、有機層７２の発光色が青色となるような構成であってもよい。
【００４２】
実施の形態６
図７に実施の形態６に係る表示装置の断面構造を示す。この表示装置は、図５に示した実施の形態４の表示装置において、透明電極層６がパターニングされた有機ＥＬ素子２９を有するディスプレイ２１の代わりにパターニングされた絶縁層４２を備えた有機ＥＬ素子４９を有する鏡面型のディスプレイ４１を用いたものである。ハーフミラー層４が形成された透明部材３がディスプレイ４１の前面４１ａ側に配置されている。
【００４３】
有機ＥＬ素子４９は、透明基板５の表面上に透明電極層６、絶縁層４２、発光層を含む有機層７、反射電極層８を積層して形成されたもので、絶縁層４２が、この表示装置によって表示しようとする意匠に対応してパターニングされている。この絶縁層４２は、可視光に対して透過性を有している。なお、透明電極層６、有機層７及び反射電極層８は有機ＥＬ素子４９の全面にわたって形成されている。
【００４４】
このような構造の有機ＥＬ素子４９を用いるため、透明電極層６と反射電極層８との間に電流を流して有機ＥＬ素子４９を点灯すると、絶縁層４２が存在する領域は発光せず、絶縁層４２が存在しない領域のみが発光することとなる。従って、この実施の形態６においても、実施の形態４及び５と同様に、有機ＥＬ素子４９の点灯時には絶縁層４２のパターン形状を反転することにより描かれる意匠が浮かび上がって立体的に見え、有機ＥＬ素子４９の消灯時にはハーフミラー層４により表示装置が単なる鏡として機能する。
【００４５】
なお、絶縁層４２を透明電極層６と有機層７との間に形成したが、絶縁層４２は透明電極層６と反射電極層８との間に介在すればよく、例えば有機層７と反射電極層８との間に形成することもできる。
【００４６】
実施の形態７
図８に実施の形態７に係る表示装置の断面構造を示す。この表示装置は、図５に示した実施の形態４の表示装置において、透明電極層６がパターニングされた有機ＥＬ素子２９を有するディスプレイ２１の代わりに多数の画素がマトリクス状に形成された有機ＥＬ素子５９を有する鏡面型のディスプレイ５１を用いたものである。ハーフミラー層４が形成された透明部材３がディスプレイ５１の前面５１ａ側に配置されている。
【００４７】
有機ＥＬ素子５９は、それぞれ透明基板５の表面上に透明電極層６、発光層を含む有機層７、反射電極層８を積層して形成された多数の画素を有しており、これらの画素を選択して光を出射させることにより所望のパターンを発光させてドットマトリクス表示することができる。
【００４８】
従って、実施の形態４〜６と同様に、有機ＥＬ素子５９の点灯時には発光のパターンにより描かれた意匠が浮かび上がって立体的に見え、有機ＥＬ素子５９の消灯時にはハーフミラー層４により表示装置が単なる鏡として機能することとなる。
特に、この実施の形態７では、画素の選択により有機ＥＬ素子５９の発光のパターンを自由に変更することができるため、複数の意匠を時系列的に変化させながら表示することが可能となる。
【００４９】
なお、ディスプレイ５１は、パッシブマトリクス方式及びアクティブマトリクス方式のいずれの方式で駆動するものでもよい。
また、ディスプレイ５１としては、複数色による表示が可能なカラーディスプレイ及び特定の色により表示を行う単色ディスプレイのいずれを用いることもできる。
【００５０】
この実施の形態７では、表示しようとする意匠をドットマトリクス表示したが、ディスプレイ５１の代わりに、例えば透明電極層を複数のセグメントに分割パターニングして形成すると共に発光層を含む有機層と反射電極層を全面にわたって形成することによって製造された有機ＥＬ素子を有する鏡面型のディスプレイを用いて意匠をセグメント表示することもできる。
【００５１】
上述した実施の形態１〜７の表示装置は、いずれも有機ＥＬ素子の点灯時には表示しようとする意匠が浮かび上がって立体的に見え、有機ＥＬ素子の消灯時には単なる鏡として機能するので、実際の表示装置の厚さより奥行きがあるように見え、表示装置が設置された空間を広く見せる効果がある。このため、これらの表示装置は、実施の形態１におけるオーディオカバーＣで例示した表示装置を、自動車等の車両の室内のように限られた狭小空間に使用されると、より効果的である。
【００５２】
実施の形態１に例示したオーディオカバーＣの他、車両の室内において、図９に示すようなスカッフプレート１３、インサイドドアハンドル１４等にこの発明の表示装置１５を設置することができる。
スカッフプレート１３に実施の形態１〜７のいずれかで構成される表示装置１５を組み込んで、例えば車種や会社名を表す文字を表示すれば、文字が立体的に浮き上がって見える。特に、スカッフプレート１３は、降車の際にドアを開けると、車両の搭乗者から斜め下に見える位置に設置されているため、文字がより立体的に見えることとなる。さらに、実施の形態３の表示装置により、文字を多重に表示すれば、審美性が増し、意匠の効果が向上する。
また、発光色は、白、青、黄等の単色とすることができるが、発光色の異なる複数の有機ＥＬ素子を配列して使用することにより、文字毎に発光色を変えて表示することもできる。さらに、有機ＥＬ素子の電極間に印加する電圧を部分的に変化させることにより、グラデーションの形成も可能である。
文字に限らず、幾何学模様等を表示装置１５に表示させてもよい。例えば、実施の形態３の表示装置を用いれば、幾何学模様の繰り返しパターンが表示される。
文字の表示でも幾何学模様等の表示でも、これを車内の照明として利用することもできる。
スカッフプレート１３にこの発明の表示装置１５を組み込む場合には、ドアを開いたときに表示装置１５が点灯するように、表示装置１５をドアの開閉に連動させて駆動することが好ましい。
【００５３】
インサイドドアハンドル１４にこの発明の表示装置１５を組み込めば、表示装置１５の点灯時に例えば幾何学模様等を立体的に表示することができる。インサイドドアハンドル１４は、通常、車両の搭乗者から斜め下に見える位置に設置されているため、幾何学模様等がより立体的に見えることとなる。さらに、実施の形態３の表示装置により、幾何学模様を多重に表示して繰り返しパターンを得ることができる。
幾何学模様の他、文字等を表示してもよい。この場合、発光色の異なる複数の有機ＥＬ素子を使用して文字毎に発光色を変えて表示することもできる。さらに、有機ＥＬ素子の電極間に印加する電圧を部分的に変化させることにより、グラデーションの形成も可能である。
インサイドドアハンドル１４は、通常、表面が滑らかな曲面状に形成されるが、有機ＥＬ素子は極めて薄型に形成することができるため、有機ＥＬ素子を用いることにより、この発明の表示装置１５をインサイドドアハンドル１４の曲面に合わせて容易に組み込むことが可能となる。
表示装置１５は、非発光時には鏡として機能するため、光源が仕込まれているハンドルには見えず、見映えのよいインサイドドアハンドル１４が形成される。
また、インサイドドアハンドル１４は停車時に操作されるため、表示装置１５をシフトレバーの操作に連動させて駆動し、車両の停車時には発光の輝度を高めて搭乗者から見えやすくし、車両の運転時には発光の輝度を低下させる、あるいは非発光状態とすることもできる。
【００５４】
これらスカッフプレート１３及びインサイドドアハンドル１４の他、この発明に係る表示装置は、車両の室内においてさらに次のような箇所への設置が考えられる。
（１）インストルメントパネル周辺
コンビネーションメータ、グラブドア、コンソールリッド、灰皿、ハンドル、バックミラー、カップホルダー、運転席小物入れ、
（２）ドア周辺
ドアトリム、ピラーガーニッシュ、アームレスト、ドアアームレスト、ドアトリムポケット、
（３）シート周辺
シートトラックカバー、シートバックポケット、シートベルトバックル、ヘッドレスト、シートアンダートレイ、
（４）デッキ周辺
ワゴン車用では、デッキサイドトリム、バックドアトリム、デッキアンダートレイ、トノカバー、リヤデッキフロアトリム、デッキサイドボックス、
セダン用では、ラゲージマット、パッケージトレイトリム、
（５）その他
ルーフヘッドライニング、カーペット、アシストグリップ、オーバーヘッドコンソール、エアピュリファイヤー、エアコンスイッチ、パーキングブレーキレバー。
【００５５】
また、実施の形態７の表示装置は、複数の意匠を時系列的に変化させながら表示することができるので、図１０に示されるように、時計６０を構成して車両の室内に設置することもできる。
なお、上記の各実施の形態においては、ボトムエミッション型の有機ＥＬ装置を有する面発光装置１あるいはディスプレイ２１、３１、４１、５１が使用されたが、これに限るものではなく、トップエミッション型の有機ＥＬ装置を有する鏡面型の面発光装置あるいはディスプレイを使用することもできる。また、有機ＥＬ装置に限るものでもなく、無機ＥＬ装置を有する鏡面型の面発光装置あるいはディスプレイを用いてもよい。
また、上記の各実施の形態においては、透明部材３が空気層であってもよく、透明部材３と透明基板５が一体化していてもよい。
【図面の簡単な説明】
【００５６】
【図１】実施の形態１に係るオーディオカバーの表示装置の発光時の状態を示す斜視図である。
【図２】図１のＡ−Ａ線断面図である。
【図３】実施の形態２に係る表示装置の構造を示す断面図である。
【図４】実施の形態３に係る表示装置の構造を示す断面図である。
【図５】実施の形態４に係る表示装置の構造を示す断面図である。
【図６】実施の形態５に係る表示装置の構造を示す断面図である。
【図７】実施の形態６に係る表示装置の構造を示す断面図である。
【図８】実施の形態７に係る表示装置の構造を示す断面図である。
【図９】この発明の表示装置がスカッフプレート及びインサイドドアハンドルに適用された車両の室内を示す部分斜視図である。
【図１０】この発明の表示装置が適用された時計を示す斜視図である。
【符号の説明】
【００５７】
１  面発光装置、２  意匠フィルム、２ｂ  意匠、３  透明部材、４  ハーフミラー層、５，５２  透明基板、６  透明電極層、７，７１，７２  有機層、８  反射電極層、９，２９，３９，４９，５９  有機ＥＬ素子、１０  保護層、１１  パンチングメタル、１１ａ，１２ａ  開口、１２  反射膜、１３  スカッフプレート、１４  インサイドドアハンドル、１５  表示装置、２１，３１，４１，５１  ディスプレイ、３２，４２  絶縁層、６０  時計、Ｃ  オーディオカバー、Ｌ１〜Ｌ７，Ｌａ１〜Ｌａ６，Ｌｂ１〜Ｌｂ６  光。
【図１】
2008233113.tif 000003
【図２】
2008233113.tif 000004
【図３】
2008233113.tif 000005
【図４】
2008233113.tif 000006
【図５】
2008233113.tif 000007
【図６】
2008233113.tif 000008
【図７】
2008233113.tif 000009
【図８】
2008233113.tif 000010
【図９】
2008233113.tif 000011
【図１０】
2008233113.tif 000012